(57)【要約】      （修正有）【課題】ベース部側と立上がり部が一体化した堅牢な基礎を得る。【解決手段】基礎ベースＢａ中に埋入させる支持金具２，３を、すてコンクリート１上に並べて配置し、該支持金具２，３に挟持部を設ける。そして、該挟持部に下端を係合して基礎立上がり部Ｂｂの型枠４Ａ，４Ｂ，４Ｃを前記支持金具２，３上に起立させて配置する。また、下端を地盤側に係止した支杆２７Ａ，２７Ｂの上端を前記型枠４Ａ，４Ｂ，４Ｃの上部側に係止する。【選択図】図１
2004324192.tif 000002
【特許請求の範囲】
【請求項１】
基礎ベース部中に埋入させる支持金具をすてコンクリート上に並べて配置し、該支持金具に挟持部を設け、該挟持部に下端を係合して基礎立上がり部の型枠を前記支持金具上に起立させて配置すると共に、下端を地盤側に係止した支杆の上端を前記型枠の上部側に係止した、基礎型枠装置。
【請求項２】
地盤と支杆との間に基礎ベース中に埋入させる受圧材を設け、該受圧材に前記支杆の下端を係止した、請求項１記載の基礎型枠装置。
【発明の詳細な説明】
【０００１】
【産業上の利用分野】
本発明は、木造建物の基礎（基礎コンクリート）の構築に際して用いる型枠装置に関するものである。
【０００２】
【従来の技術】
ベース部上に立上がり部を立設した基礎を得るには、型枠間に注入したモルタルを硬化させてベース部を得た後、該ベース部上に立設した型枠中にモルタルを注入充填して立上がり部を形成するようにしているのが一般である（例えば、特許文献１）。
【０００３】
【特許文献１】
特開平９−２８７２８８号
【０００４】
【発明が解決しようとする課題】
前記従来例は、ベース部のモルタルが硬化した後に該ベース部上に配置した型枠中に立上がり部のモルタルを充填してこれを硬化させるようにするものであるから、ベース部側の硬化状態のモルタルと立上がり部側の未硬化状態のモルタルが互いに馴まず、両者の結合が必ずしも良好といえない場合があり、ベース部と立上がり部との一体性が欠けることがある。
【０００５】
本発明は、ベース部と立上がり部の打設を連続的に行え、しかも、両部分が一体となった堅牢な基礎を得ることを目的として創案したものである。
【０００６】
【課題を解決するための手段】
基礎ベース部中に埋入させる支持金具をすてコンクリート上に並べて配置し、該支持金具に挟持部を設け、該挟持部に下端を係合して基礎立上がり部の型枠を前記支持金具上に起立させて配置すると共に、下端を地盤側に係止した支杆の上端を前記型枠の上部側に係止した構成としたものである。
【０００７】
なお、地盤と支杆との間に基礎ベース中に埋入させる受圧材を設け、該受圧材に前記支杆の下端を係止した構成にすることによりべた基礎構築にも支承なく適用できる。
【０００８】
【発明の実施の形態】
図面は本発明に係る基礎型枠装置の一実施形態を示し、図１は縦断面図、図２は外周型枠用支持金具の分解斜視図、図３は内側型枠用支持金具の分解斜視図、図４は図１の一部拡大図、図５は図４の平面図である。
【０００９】
実施形態の基礎型枠装置は、すてコンクリート１上に外周型枠用支持金具２と該外周型枠用支持金具２，…で取り囲んだ基礎施工区域の内側に配した内側型枠用支持金具３を適所に所要数並べ、該外周型枠用支持金具２で内外一対の外周型枠４Ａ，４Ｂを相対して支持させる一方、内側型枠用支持金具３で左右一対の型枠４ｃ，４ｃを相対して支持させて構成したものである。
【００１０】
前記外周型枠用支持金具２は、基枠２Ａと第一、第二の構成枠２Ｂ，２Ｃを互いに組付けて構成したもので、基枠２Ａは構築する基礎Ｂの内外方向に長い基板５の外端側の一側に前記外側外周型枠４Ｂの下端を係合させて支持する一対の挟持部片６Ａ，６Ａを前記屋内外方向に相対して立設し、内端側の他の一側にはコ字形の支持部片７を立設し、支持部片７の相対する側片７ａ，７´ａにはそれぞれ縦長長孔８Ａを設けたものである。
【００１１】
この基枠２Ａの支持部片７の側片７ａ，７´ａの外側の一方には前記第一構成枠２Ｂの外側垂直部片９を重ね合わせ、該垂直部片９に設けた縦長長孔８Ｂを前記一方の側片７ａに設けた縦長長孔８Ａに一致させこれらに垂直部片９の長孔８Ｂ側から貫通させたねじ１０Ａの先端にナット１１Ａを螺合締付けることにより第一構成枠２Ｂと基枠２Ａを互いに組付けたもので、縦長長孔８Ａ，８Ｂ同士の位置調節をし、該調節状態において前記ねじ１０Ａとナット１１Ａにより互いに重ね合わせた屋外側垂直部片９と支持部片７の外側側片７ａを締付けることにより基枠２Ａを固定側とした第一構成枠２Ｂの高さ調節を行うことができる。
【００１２】
第一構成枠２Ｂは、前記内外方向に長い主体板１２の外端に前記外側垂直部片９を、透孔２０Ａを設けた内端側に該外側垂直部片９と相対するようにして内側垂直部片１３をそれぞれ吊設し、該主体板１２の内外方向（長手方向）の中間部の前記挟持部片６Ａ，６Ａと適宜の間隔（この間隔が基礎Ｂの立上がり部Ｂｂの幅となる）を置くようにした適所には、前記外側型枠４Ｂと相対するように配する前記内側型枠４Ａの下端を係合させて支持する一対の挟持片６Ｂ，６Ｂを前記挟持部片６Ａ、６Ａと同様にして立設し、前記外側垂直部片９を前記の通り支持部片外側片７ａ´に組付けて基枠２Ａに組付ける一方、内側垂直部片１３に設けた縦長長孔８Ｃを前記第二構成枠２Ｃの起立部片１４に設けた縦長長孔８Ｄに一致させこれらに垂直部片１３の長孔８Ｃ側から貫通させたねじ１０Ｂの先端にナット１１Ｂを螺合締付けることにより第一、第二の構成枠２Ｂ，２Ｃを互いに組付けたもので、縦長長孔８Ｃ，８Ｄ同士の調節をし（この位置調節は前記縦長長孔８Ａ，８Ｂ同士の位置調節と連動して行われる）、該調節状態において前記ねじ１０Ｂとナット１１Ｂとにより互いに重ね合わせた内側垂直部片１３と起立部片１４を締付けることにより第二構成枠２Ｃを固定側とした第一構成枠２Ｂの高さ調節を行うことができる。
【００１３】
第二構成枠２Ｃは、前記内外方向に長い主体板１５の外端に垂直部片１６を吊設し、内端側に前記の通り起立部片１４を設けて第一構成枠２Ｂと互いに組付けたもので、前記垂直部片１６に設けた縦長長孔８Ｅを前記基枠２Ａの支持部片７の内側片７ａに設けた縦長長孔８Ａに一致させこれらに垂直部片１６の長孔８Ｅから貫通させたねじ１０Ｃの先端にナット１１Ｃを螺合締付けることにより第二構成枠２Ｃと基枠２Ａを互いに組付けたもので、縦長長孔８Ｅ，８Ａ同士の調節をし（この位置調節は縦長長孔８Ｃ，８Ｄ同士の位置調節と連動して概ね行われるが、ときには縦長長孔８Ａ，８Ｂ同士の位置調節とも連動する）、該調節状態において前記ねじ１０Ｃとナット１１Ｃにより互いに重ね合わせた垂直部片１６と側片７ａ´を締付けることにより基枠２Ａを固定側とした第二構成枠２Ｃの高さ調節を行うことができる。
【００１４】
なお、第二構成枠２Ｃの高さ調節は、すてコンクリート１の低所１ａ位置に配する基枠２Ａにいわば片持ち梁状にして支持させた第一、第二の構成枠２Ｂ，２Ｃの自由端側をすてコンクリート１の高所位置１ｂに支持させるために行われ、第一構成枠２Ｂの高さ調節はすてコンクリート１上に打設されるべた基礎Ｂのベース部Ｂａの上面と主体板１２の高さ位置を一致させるために行われる。
【００１５】
前記内側型枠用支持金具３は、基枠１７Ａと構成枠１７Ｂを互いに組付けて構成したもので、基枠１７Ａは一方方向に長い基板１８にコ字形の支持部片１９を立設し、支持部片１９の相対する側片１９ａ，１９ａにはそれぞれ縦長長孔８Ｆを設けたものである。
【００１６】
この基枠１７Ａの支持部片１９の側片１９ａには前記構成枠１７Ｂの垂直部片２１をその外側から重ね合わせ、該垂直部片２１に設けた縦長長孔８Ｇを前記側片１９ａに設けた縦長長孔８Ｆに一致させ、これらに垂直部片２１の長孔８Ｇ側から貫通させたねじ１０Ｄの先端にナット１１Ｄを螺合締付けることにより基枠１７Ａと構成枠１７Ｂを互いに組付けたもので、縦長長孔８Ｆ，８Ｇ同士の位置調節をし、該調節状態において前記ねじ１０Ｄとナット１１Ｄにより互いに重ね合わせた垂直部片２１と側片１９ａを締付けることにより基枠１７Ａを固定側とした構成枠１７Ｂの高さ調節を行うことができ、この高さ調節は、前記外周型枠用支持金具２の第一構成枠２Ｂの主体板１２の高さ位置と構成枠１７Ｂの主体板２２の高さ位置を一致させるべく、概ね行う。
【００１７】
構成枠１７Ｂは、前記一方方向に長い主体板２２の下面に前記垂直部片２１，２１を相対して調節し、上面の両側にそれぞれ前記型枠４Ｃの下端を係合させて支持する一対の挟持片６Ｃ，６Ｃを立設し、また、主体板２２の両側に前記外周枠用支持金具２（の第一構成枠２Ｂの主体板１２）に設けた透孔２０Ａと同様の透孔２０Ｂ，２０Ｂを設け、中央には金網２３を止着するための長孔２４Ｃを設けてある。
【００１８】
なお、この長孔２４Ｃにほぼ一致する位置にして基枠１７Ａの支持部片１９の上片１９ｂにも同旨の長孔２４Ｂを設け、前記外周型枠用支持金具２の第一構成枠２Ｂの主体板１２にも前記型枠４Ａ，４Ｂ杆に介在するようにして同趣旨の長孔２４Ａを設けてある。
【００１９】
しかして、ねじ１０Ａ，１０Ｂ，１０Ｃ，１０Ｄおよびナット１１Ａ，１１Ｂ，１１Ｃ，１１Ｄを操作して構築する基礎Ｂに見合うように、外周型枠用支持金具２においては基枠２Ａと第一構成枠２Ｂおよび第二構成枠２Ｃを、内側型枠用支持金具３においては基枠１７Ａと構成枠１７Ｂをそれぞれ相対的な位置調節して互いに組付け、前記基礎Ｂ（構築する）の外周部に位置するすてコンクリート１の低所位置１ａに沿わせて外周型枠用支持金具２，…を並べて配置する一方、該支持金具２で、すなわち前記低所位置１ａで取り囲まれるすてコンクリート１の低所位置１ｂの適所には前記内側型枠用支持金具３，…を並べて配置し、各支持金具２，３に備えた挟持部片６Ａ，６Ａ、６Ｂ，６Ｂ、６Ｃ，６Ｃ間（請求項でいう「挟持部」に対応）に型枠４Ａ，４Ｂ，４Ｃの下端を係合して、型枠４Ａ，４Ｂ，４Ｃの上端部と地盤側間には支杆２７Ａ，２７Ｂを介在させて前記型枠４Ａ，４Ｂ，４Ｃを支持金具２，３上に相対して起立させて配置し、外周型枠４Ａ，４Ｂ間の下端部には第二構成枠２Ｂの主体板１２上に金網２３を載置させて長孔２４Ａを利用して該金網２３を支持金具２，２間にわたした状態で止着する一方、内側型枠４Ｃ，４Ｃ間の下端部にも前記内側型枠用支持金具３の長孔２４Ｂ，２４Ｃを利用して金網２３を止着、敷設して型枠４Ｃ，４Ｃ間の間隙を下端部において閉塞することによって実施形態の基礎型枠装置を得るのである．
なお、外側外周型枠４Ｂの起立状態の上部側を支持する支杆２７Ｂは、その上端を外側外周型枠４Ｂの外面上端に係止する一方、図示省略した下端を地盤ｅに係止させた常法手段によって外側外周型枠４Ｂの外側上部側の荷重の負荷に対処する。
【００２０】
この外側外周型枠４Ｂに相対して起立させた内側外周型枠４Ａおよび互いに相対させた内側型枠４Ｃ，４Ｃの上部側は、支え装置２８を構成する前記支杆２７Ａにより荷重の負荷に対処するようにしてある。
【００２１】
支え装置２８は、前記すてコンクリート１の高所位置１ｂの適所に載置した受圧材２９と、該受圧材２９と内側外周型枠４Ａまたは内側型枠４Ｃとの間に介在させる前記支杆２７Ａとで成り、受圧材２９は、前記高所位置１ｂ上に定置する下部材２９´上に上部材２９´´を螺杆２９´´´を介して受支させ、螺杆２９´´´を回動させることにより上部材２９´´が縦動して、該上部材２９´´で成る受圧材２９の上部片２９ａを所定の高さ位置に調節できるようにしてあり、この上部片２９ａには一対の受圧部２９ａ´を相対して立設し、該一対の受圧部２９ａ´，２９ａ´の一方又は双方に支杆２７Ａの下端を係止するようにしてある。
【００２２】
そして、図１は、受圧材２９の一方の受圧部２９ａ´に前記内側外周型枠４Ａの上端部に上端を係止させた支杆２７Ａの下端を、他の一方の受圧部２９ａ´には上端を内側型枠４Ｃの上端部に係止させた支杆２７Ａの下端をそれぞれ係止させて型枠４Ａ，４Ｃ側からの荷重を受けるようにした状態を示しているが、内側型枠４Ｃと内側外周型枠４Ａのいずれか一方側の支杆２７Ａを省略しても良く、一対の内側外周型枠４Ａ，４Ａ間、或いは一対の内側型枠４Ｃ，４Ｃ間に一対の支杆２７Ａ，２７Ａを用いた実施形態の支え装置２８を配置しても良い。
【００２３】
いずれにしても、支杆２７Ａは一対の部片２７Ａ´，２７Ａ´をターンバックル装置２７Ａ´´で連結して構成したもので、ターンバックル装置２７Ａ´´の操作により型枠４Ａ，４Ｃと受圧材２９との離開距離に所望に設定して、型枠４Ａ，４Ｃ側からの荷重の負荷に対処できる。
【００２４】
なお、受圧材２９の上部片２９ａには補助杆３０の一端を止着（ボルトで）し、補助杆３０の他の一端は支持金具２，３に設けた前記透孔２０Ａ，２０Ｂを利用してボルトとナットで止着してある。補助杆３０は前記ねじ１０Ａ，１０Ｂ，１０Ｃ，１０Ｄとナット１１Ａ，１１Ｂ，１１Ｃ，１１Ｄを操作して高さ調節した主体板１２，２２と螺杆２９´´´を操作して高さ調節した前記上部片２９ａが同じ高さ位置にあるかどうかの物差しにもなり、また、基礎Ｂのモルタルを注入して構成するベースＢａ部上面位置の基準ともなるものである。
【００２５】
しかして、実施形態の基礎型枠装置の外周型枠４Ａ，４Ｂで取り囲んだ内側で、しかも、内側型枠４Ｃ，４Ｃ間以外の部分にモルタルを打込むと、モルタルは外側外周型枠４Ｂで取り囲んだすてコンクリート１の全域に充填され、主体板１２，２２の位置を上面とする基礎Ｂのベース部Ｂａが形成される。
【００２６】
そして、ベース部Ｂａのモルタルが未硬化状態時に、内外の外周型枠４Ａ，４Ｂ間および内側型枠４Ｃ，４Ｃ間にモルタルを打込むと、該モルタル中の金網２３の網目の径より大径な骨材は前記型枠４Ａ，４Ｂ、４Ｃ，４Ｃ間に残存してベース部Ｂａに流入することによる該ベース部Ｂａの損傷が規制されつつ、新たに注入したモルタルは未硬化状態のベース部Ｂａ側のモルタルと馴み、基礎Ｂの立上がり部Ｂｂが打設されることになる。
【００２７】
次いで、モルタルの硬化状態を得て、支持金具２，３と支え装置２８の受圧材２９をいわばすて材として当該モルタル中に埋入、残存させたまま、脱型することによりベース部Ｂａと立上がり部Ｂｂとで成る、実施形態によるべた基礎Ｂの打設が完了するのである。
【００２８】
なお、図中３３はべた基礎Ｂのベース部Ｂａと立上がり部Ｂｂに配した鉄筋であって、該鉄筋３３は本装置を設置する前にすてコンクリート１上に配置されることは勿論である。
【００２９】
本発明装置は布基礎の打設にも適用できる。
【００３０】
【発明の効果】
本発明は前記の通りの構成であるから、ベース部のモルタルの未硬化状態中に立上がり部のモルタルの型枠間内への注入を行うことに支障がなく、従って、ベース部側と立上がり部側のモルタルが馴み合った堅牢な基礎を得ることができる。そして、ベース部側のモルタルの硬化に時間をかける必要がないから基礎の打設時間を短縮させることもでき実用的である。
【図面の簡単な説明】
【図１】縦断面図。
【図２】外周型枠用支持金具の分解斜視図。
【図３】屋内側型枠用支持金具の分解斜視図。
【図４】図１の一部拡大図。
【図５】図４の平面図。
【符号の説明】
１      すてコンクリート
２      外周型枠用支持金具
３      内側型枠用支持金具
４Ａ，４Ｂ，４Ｃ      型枠
２７Ａ，２７Ｂ        支杆
【図１】
2004324192.tif 000003
【図２】
2004324192.tif 000004
【図３】
2004324192.tif 000005
【図４】
2004324192.tif 000006
【図５】
2004324192.tif 000007